(57)【要約】      （修正有）【課題】引抜き防止機能と復元機能付きの免震支承において、引抜き防止付きの重力復元型免震装置特有の、引抜き時のがたつきを防止する。【解決手段】下向き凹型滑り面部を有する上部材４−ａは、横に細長く開口したスライド孔を有するスライド部材を形成し、上向き凹型滑り面部を有する下部材４−ｂは、横に細長く開口したスライド孔を有するスライド部材を形成し、これらのスライド部材を互いに交差する方向に、双方のスライド孔に係合してスライドできるように構成する。【選択図】図９
2009216238.tif 000002
【特許請求の範囲】
【請求項１】
免震される構造体と免震される構造体を支持する構造体との間に設けられ、
下向きの凹型滑り面部または平面型滑り面部を有する上部スライド部材と上向きの凹型滑り面部または平面型滑り面部を有する下部スライド部材とが、互いに交差する方向に係合し、スライドできるように構成され、
かつ、前記上部スライド部材を免震される構造体に、前記下部スライド部材を免震される構造体を支持する構造体に設けることにより構成され、
上部スライド部材と下部スライド部材の間に、中間滑り部またはローラーまたはボールをもった中間滑り部を設けることもあり、
上部スライド部材と下部スライド部材とに、横に細長く開口したスライド孔があり、
これらのスライド部材同士が、互いに交差する方向に、双方のスライド孔に係合し、スライドできるように構成され、
上部スライド部材のスライド孔を挟む上部材の下部面に、下向き凹型滑り面部を有し、
下部スライド部材の、スライド孔を挟む上部材の上部面に、上部スライド部材の上部材の下部面の下向き凹型滑り面部が滑走しうる上向き凹型滑り面部を、また下部面に下向き凸型滑り面部を有し、
かつ、上部スライド部材の、スライド孔を挟む下部材の上部面に、下部スライド部材の上部材の下部面の下向き凸型滑り面部を滑走しうる上向き凸型滑り面部を、また下部面に下向き凹型滑り面部を有し、下部スライド部材のスライド孔を挟む下部材の上部面に、上部スライド部材の下部材の下部面の下向き凹型滑り面部が滑走しうる上向き凹型滑り面部を有することにより、構成されてなることを特徴とする免震装置。
【発明の詳細な説明】
【技術分野】
【０００１】
この発明は免震装置、または滑り支承（すべり支承、転がり支承）に関するものである。滑り支承は、構造体とこの構造体を支持する構造体との間に設けられるものであり、免震装置も、免震される構造体と免震される構造体を支持する構造体との間に設けられるものである。ここで発明された免震装置は、当然、滑り支承として使用または応用できる。以下、免震装置と滑り支承とを「免震装置・滑り支承」といい、また滑り支承（すべり支承、転がり支承）を使用した免震装置を「滑り型免震装置」といい、また免震のための滑り支承を「滑り型免震支承」といい、そして滑り型免震装置また滑り型免震支承による免震を「滑り型免震」という。さらにすべり支承を使用した免震装置を「すべり型免震装置」、転がり支承を使用した免震装置を「転がり型免震装置」という。そしてすべり型免震装置による免震を「すべり型免震」、転がり型免震装置による免震を「転がり型免震」という。
【背景技術】
【０００２】
本発明者兼出願人は、特許 1844024号と特許 2575283号とで、免震復元装置（重力復元型免震装置・滑り支承）・免震装置（免震装置・滑り支承）・引抜防止装置（引抜防止装置・滑り支承）・固定装置（風揺れ等の固定ピン装置）・外れ防止装置の発明を、また特許 2504945号で、免震装置の設置位置に関する発明をし、さらに特許 1778741号で、引張材による垂直支持方式の発明をしているが、本発明は、それらの改良発明および新たな免震装置・滑り支承に関するものである。また、特許 1844024号および特許 2575283号は、複数の装置が合わさることによって十全な機能を発揮する形であった。その場合、材料の無駄だけでなく、各種装置を個々別々に設置することになるため場所を取り、設置に懸かる人件費等もかさむ。そういったことからも、また、垂直荷重の伝達位置という限定された位置での設置の多さを考えても、１個で全ての機能を果たす装置の発明が望まれた。
【特許文献１】特許 1844024号
【特許文献２】特許 2575283号
【発明の開示】
【発明が解決しようとする課題】
【０００３】
１．十字型免震装置・滑り支承、または十字重力復元型免震装置・滑り支承
特許 1844024号および特許 2575283号において、全方向の復元性能を備えた免震復元装置としては、すり鉢状、球面状等の凹型滑り面部をもつ免震皿からなる、重力により復元する免震復元装置があるが、この装置の免震皿は、場所を取り、また、構造体および基礎からはみ出している部分に力が加わった場合の支持強度にも問題があった。はみ出している部分の面積が小さくなるようにすることが求められる。また重力復元型に特有の問題として、振動時の垂直変位に対応するために設けられた引抜防止装置等の遊びにより、がたつきが生じるという問題、風力等により免震される構造体に引抜き力が発生した時に衝撃が走るという問題を解決することが求められた。また、滑り支承の摩擦係数を下げること、引抜き防止装置を複合させることが求められた。
【課題を解決するための手段】
【０００４】
この発明は、以上のような問題・課題を解決するものである。
１．十字型免震装置・滑り支承、または十字重力復元型免震装置・滑り支承
1.1. 十字型免震装置・滑り支承、または十字重力復元型免震装置・滑り支承
特許 1844024号の免震装置（特許 1844024号の明細書の第 8図〜第 9図）よりも材料が節約できるようにするために、滑り面部（すべり・転がり面部、以下同じ）を重ね合せ十字型にした免震装置・滑り支承である（以下「十字型免震装置・滑り支承」という）。また、特許 1844024号の発明の、一方向性（往復を含む、以下同じ）復元免震皿による免震復元装置（特許 1844024号の明細書の第 1図〜第 4図）に、全方向の復元性能を持たせるために、凹形状の一方向性免震復元装置を上下に交差させて係合させるという構成を発明した（以下「十字重力復元型免震装置・滑り支承」という）。これは十字型免震装置・滑り支承と同様に、材料を節約することにもなる。
【０００５】
1.2. 十字型免震装置・滑り支承、十字重力復元型免震装置・滑り支承の中間滑り部
1.1.の十字型免震装置・滑り支承、十字重力復元型免震装置・滑り支承の、上部スライド部材と下部スライド部材との間の摩擦係数を下げ、また相互の滑り面の接触面積を上げるために（なお「また」は、全文において「または」と「及び」の両方の意味をもつ）、両スライド部材の間に、中間滑り部を設けることを発明した。さらに、その中間滑り部の、上部スライド部材、下部スライド部材と接する位置に、ローラー・ボール（ベアリング）を設ける場合もある。
【０００６】
1.3. 十字重力復元型引抜き防止装置・滑り支承
また、上記発明と、特許 1844024号の引抜き防止装置（特許 1844024号の明細書の第10図〜第11図）とを一体化させることにより、引抜きを防止し、且つ復元もするという免震装置・滑り支承が可能となる。（以下、「十字重力復元型引抜き防止装置・滑り支承」という）。
また、重力復元型免震装置に特有の、振動時の垂直変位に対応するために設けられた引抜防止装置等の遊びにより、がたつきが生じるという問題、風力等により、免震される構造体に引抜き力が発生した時に衝撃が走るという問題は、上部スライド部材のスライド孔を挟む下部材の下部を下向きの凹形状にし、下部スライド部材のスライド孔を挟む上部材の上部を上向きの凹形状にし、上下部スライド部材が互いに滑走するように構成することにより、解決する。請求項１項は、その発明である。
上部スライド部材と下部スライド部材との間の摩擦係数を下げ、また相互の滑り面の接触面積を上げるために、中間滑り部またはローラー・ボール（ベアリング）をもった中間滑り部を設ける場合も考えられる。
【発明の効果】
【０００７】
１．十字型免震装置・滑り支承、または十字重力復元型免震装置・滑り支承
1.1.十字型免震装置・滑り支承、または十字重力復元型免震装置・滑り支承
凹型滑り面部または平面型滑り面部を有するスライド部材を上下に交差させて係合させることにより、免震性を与え、また復元性を持たせるようにしたものである。この発明は、同形の部材の上下の噛み合わせで、一方向（行き帰りを含む、以下同じ）しかできなかった免震時の復元が、全方向で得られる。またこのような単純な機構により、耐久性も得られ、メンテナンス上の問題も軽減する。また、十字型にすることにより材料を節約した。
【０００８】
1.2.十字型免震装置・滑り支承、十字重力復元型免震装置・滑り支承の中間滑り部
1.1.の発明の、下向きの凹型滑り面部または平面型滑り面部を有する上部スライド部材と、上向きの凹型滑り面部または平面型滑り面部を有する下部スライド部材との間に、中間滑り部を設けた発明である。この中間滑り部によって摩擦性能を上げられ、上部スライド部材と下部スライド部材との接触面積も増加させることができる。また地震振動時において、中間滑り部と、上部スライド部材と下部スライド部材との接触面積の変化もない。また、この中間滑り部の、上部スライド部材・下部スライド部材と接する位置に、ローラー・ボール（ベアリング）を設けても、同様に、地震振動時において、このローラー・ボール（ベアリング）と、上部スライド部材と下部スライド部材との接触面積も変化しないので垂直荷重伝達能力において有利である。
【０００９】
1.3.十字重力復元型引抜き防止装置・滑り支承
1.1.また1.2.の発明の、下向きの凹型滑り面部または平面型滑り面部を有する上部材は、長辺側面に横に細長く開口したスライド孔を有するスライド部材を形成し、上向きの凹型滑り面部または平面型滑り面部を有する下部材は、長辺側面に横に細長く開口したスライド孔を有するスライド部材を形成し、これらのスライド部材を互いに交差する方向に、双方のスライド孔に係合してスライドできるように構成し、かつ、これらのスライド部材のうち、上になるスライド部材（上部スライド部材）を免震される構造体に、下になるスライド部材（下部スライド部材）を免震される構造体を支持する構造体に設けて、引抜き防止の機能も合わせ持たせた復元付き免震装置・滑り支承であり、１つの装置で、免震復元と引抜き防止を合せ持った装置が可能になる。また重力復元型特有の地震振動時の垂直変位のための遊びによるがたつきの問題及び引抜き時の衝撃の問題をも解決できる。また、1.2.と同様に、中間滑り部によって摩擦性能を上げられ、上部スライド部材と下部スライド部材との接触面積も上げられる。また地震振動時において、中間滑り部と、上部スライド部材と下部スライド部材との接触面積の変化もない。また、この中間滑り部の、上部スライド部材・下部スライド部材と接する位置に、ローラー・ボール（ベアリング）を設けても、同様に、地震振動時において、このローラー・ボール（ベアリング）と、上部スライド部材と下部スライド部材との接触面積も変化しないので垂直荷重伝達能力において有利である。
【発明を実施するための最良の形態】
【００１０】
１．十字型免震装置・滑り支承、または十字重力復元型免震装置・滑り支承
1.1. 十字型免震装置・滑り支承、または十字重力復元型免震装置・滑り支承
図１〜図１１は、凹型滑り面部（すべり・転がり面部、以下同じ）または平面型滑り面部を有するスライド部材４を上下に交差させて係合させることにより、免震性を、また一方向性（行き帰りを含む、以下同じ、なお「また」は、全文において「または」と「及び」の両方の意味をもつ）もしくは全方向の復元性を持たせるようにしたものである。上下に交差させて係合させる上で、スライド部材４の交差方向の角の面を取り、スムーズに交差できるようにした場合もある。
上部のスライド部材４-aは、下向きの凹型滑り面部または平面型滑り面部を有するものであり、下部のスライド部材４-bは、上向きの凹型滑り面部または平面型滑り面部を有するものである。ともに滑り面部には低摩擦材が使用されている場合がある。
【００１１】
上部スライド部材４-a・下部スライド部材４-bの組合せは、次の４通り考えられる。
(1) 下向きの凹型滑り面部を有する上部スライド部材４-aと上向きの凹型滑り面部を有する下部スライド部材４-bとの組合せ（図１、図２参照）。
(2) 下向きの平面型滑り面部を有する上部スライド部材４-aと上向きの凹型滑り面部を有する下部スライド部材４-bとの組合せ。
(3) 下向きの凹型滑り面部を有する上部スライド部材４-aと上向きの平面型滑り面部を有する下部スライド部材４-bとの組合せ。
(4) 下向きの平面型滑り面部を有する上部スライド部材４-aと上向きの平面型滑り面部を有する下部スライド部材４-bとの組合せ（図１１参照）。
【００１２】
以上の上部スライド部材４-a・下部スライド部材４-bを、互いに交差する方向に係合し、スライドできるように構成し、上部スライド部材４-aを免震される構造体１に、下部スライド部材４-bを免震される構造体を支持する構造体２に設ける。
【００１３】
図１〜図２は、下向きの凹型滑り面部を有する上部スライド部材４-aと上向きの凹型滑り面部を有する下部スライド部材４-bとの組合せである。
図１は、上部スライド部材・下部スライド部材（４-a、４-b）の長辺方向の凹型滑り面部が台形の直線で構成されており、短辺方向は平坦面の滑り面部で構成されて交差する場合である。
図２は、上部スライド部材・下部スライド部材（４-a、４-b）の長辺方向の凹型滑り面部が円弧状で、また、その凹型滑り面部にスライド部材の短辺方向に丸みを持たせた場合である。
なお、凹型に関して、台形の直線で構成される場合と、円弧、放物線、スプライン曲線等の曲線で構成される場合がある。また上部スライド部材・下部スライド部材共に、凹型滑り面部の底部に関して、互いのスライド部材が嵌まり込むように少し掘り下げられて、風等では動きにくくしている場合もある。
【００１４】
1.2. 十字型免震装置・滑り支承、十字重力復元型免震装置・滑り支承の中間滑り部
図１２〜図１７は、下向きの凹型滑り面部または平面型滑り面部を有する上部スライド部材４-aと、上向きの凹型滑り面部または平面型滑り面部を有する下部スライド部材４-bとの間に、中間滑り部６を設けた発明であり、また、その中間滑り部６と、上部スライド部材４-a、下部スライド部材４-bとが接する位置に、ローラー・ボール（ベアリング）５-e、５-fを設けた場合もある。
【００１５】
図１２は、十字型免震装置・滑り支承、図１３〜図１７は、十字型復元付き免震装置・滑り支承である。図１２は、図１１の構成の上部スライド部材４-aと、下部スライド部材４-bとの間に、中間滑り部６が挟まれた実施例である。この場合の中間滑り部６は、円柱形をなしている。中間滑り部６と、上部スライド部材４-a、下部スライド部材４-bとが接する上面、下面、側面位置に、ローラー・ボール（ベアリング）５-e、５-fを設けた場合もある。また、このローラー・ボール（ベアリング）は、循環式転がり案内によって循環する形を取るのが有利である。
【００１６】
図１３〜図１４は、図１および図２の構成の上部スライド部材４-aと、下部スライド部材４-bとの間に、中間滑り部６が挟まれた実施例である。
上部スライド部材４-aの下向き凹型滑り面部と、下部スライド部材４-bの上向き凹型滑り面部との間に、中間滑り部６が挟み込まれ、この中間滑り部６の滑り部上部（上面）６-uが、上部スライド部材４-aの下向き滑り面部と同曲率を持ち、また滑り部下部（下面）６-lが、下部スライド部材４-bの上向き滑り面部と同曲率を持つように構成する。この場合、図１４(e) 〜(h)のように、地震振幅により上部スライド部材４-aと下部スライド部材４-bとがずれを起こしても、滑り部上部（上面）６-uと上部スライド部材４-aの下向き滑り面部、及び滑り部下部（下面）６-lと下部スライド部材４-bの上向き滑り面部との接触面積が、同面積得られて、垂直荷重伝達能力において有利になる。
【００１７】
図１３〜図１４のうち、(a) は免震装置・滑り支承の斜視図、(b)(c)はその断面図、(d)は免震装置・滑り支承部の詳細斜視図、(e)(f)(g)(h)は、振幅時の断面図であり、 (g)(h) は最大振幅時、(e)(f)は振幅途中の時の図で、(e)(g)は基礎方向から見たもの、(f)(h)は基礎方向に対面する方向から見たものである。
中間滑り部６と、上部スライド部材４-a、下部スライド部材４-bとが接する上部６-u、下部６-l位置に、ローラー・ボール（ベアリング）５-e、５-fを設けた場合もある。
この構成は、滑り面部の凹型球面形状に対して、常にローラーまたはボールが接し、振動時においても同接触面積が得られて、垂直荷重伝達能力において有利である。また、このローラー・ボール（ベアリング）は、循環式転がり案内によって循環する形を取るのが有利である。
【００１８】
図１５は、図１３〜図１４の構成の中間滑り部６が球の場合の実施例であり、上部スライド部材４-aの下向き凹型滑り面部と、下部スライド部材４-bの上向き凹型滑り面部との間に、球状の滑り面部を有する中間滑り部６が挟み込まれ、この球状の中間滑り部６と接する上部スライド部材４-aの下向き滑り面部、下部スライド部材４-bの上向き滑り面部が、この球状の中間滑り部６と同曲率を持つように構成する。この場合、地震振幅により上部スライド部材４-aと下部スライド部材４-bとがずれを起こしても、上部スライド部材４-aの下向き滑り面部、及び下部スライド部材４-bの上向き滑り面部と、球状の中間滑り部６との接触面積が、常に同面積得られて、垂直荷重伝達能力において有利である。この中間滑り部６と、上部スライド部材４-a、下部スライド部材４-bとの接触面に、ローラーまたボール（ベアリング）５-e、５-fを設けた場合もある。この構成は、凹型球面形状に対して、常にローラーまたボールが接し、振動時においても同接触面積が得られて、垂直荷重伝達能力において有利である。また、このローラーまたボールベアリングは、循環式転がり案内によって循環する形を取るのが有利である。
【００１９】
図１６〜図１７は、図１３〜図１４の中間滑り部６が、三重中間滑り部の場合の実施例であり、 中間滑り部６が、第一中間滑り部６-aと第二中間滑り部６-bと第三中間滑り部６-cとに分かれる。第一中間滑り部６-aは、上部スライド部材４-aの下向き凹型滑り面部と同曲率である凸型滑り面部６-u（中間滑り部上部（上面）６-u）をもち、その凸型の反対部には凹型球面状滑り面部を有している。第二中間滑り部６-bは、第一中間滑り部の前記反対部の凹型球面と同一球面率である凸型滑り面部をもち、この凸型の反対部には凸型球面状滑り面部を有している。第二中間滑り部６-bは球形の場合もある。第三中間滑り部６-cは、第二中間滑り部の前記反対部の凸型球面と同一球面率である凹型滑り面部をもち、その凹型の反対部には、下部スライド部材４-bの上向き凹型滑り面部と同一曲面率である凸型滑り面部６-l（中間滑り部下部（下面）６-l）を有している。
そして、上部スライド部材４-aと下部スライド部材４-bとの間に、この第一中間滑り部６-a、第二中間滑り部６-b及び第三中間滑り部６-cを、挟み込むことにより構成される。
この場合、図１７(e) 〜(h)のように、地震振幅により上部スライド部材４-aと下部スライド部材４-bとがずれを起こしても、中間滑り部上部（上面）６-uと上部スライド部材４-aの下向き滑り面部、及び中間滑り部下部（下面）６-lと下部スライド部材４-bの上向き滑り面部の接触面積が、同面積得られて、垂直荷重伝達能力において有利である。
【００２０】
図１６〜図１７のうち、(a)は免震装置・滑り支承の斜視図、(b)(c)はその断面図、(d) は免震装置・滑り支承部の詳細斜視図、(e)(f)(g)(h)は、振幅時の断面図であり、(g)(h)は最大振幅時、(e)(f)は振幅途中の時の図で、(e)(g)は基礎方向から見たもの、(f)(h)は基礎方向に対面する方向から見たものである。この第一中間滑り部６-a、第三中間滑り部６-cと、上部スライド部材４-a、下部スライド部材４-bとが接する中間滑り部上部（上面）６-u、中間滑り部下部（下面）６-l位置に、ローラー・ボール（ベアリング）５-e、５-fを設ける場合もある。この構成は、凹型球面形状に対して、常にローラーまたはボールが接し、地震振幅時においても同接触面積が得られて、垂直荷重伝達能力において有利である。また、第二中間滑り部６-bと、第一中間滑り部６-a、第三中間滑り部６-cとが接する位置に、ローラー・ボール（ベアリング）を設けると、首振りが容易になり、有利である。また、このローラー・ボールベアリングは、循環式転がり案内によって循環する形を取るのが有利である。
【００２１】
1.3. 十字重力復元型引抜き防止装置・滑り支承
図１〜図１１のうち、特に、図３〜図１０は、特許 1844024号での発明の引抜き防止装置に、復元付き免震装置の機能を持たせたものであり、重力復元型引抜き防止装置・滑り支承の実施例を示している。
具体的に説明すると、下向きの凹型滑り面部または平面型滑り面部を有する上部材は、長辺側面に横に細長く開口したスライド孔を有するスライド部材４-aを形成し、上向きの凹型滑り面部または平面型滑り面部を有する下部材は、長辺側面に横に細長く開口したスライド孔を有するスライド部材４-bを形成し、これらのスライド部材を互いに交差する方向に、双方のスライド孔に係合してスライドできるように構成し、かつ、これらのスライド部材のうち、上になるスライド部材（上部スライド部材）４-aを免震される構造体１に、下になるスライド部材（下部スライド部材）４-bを免震される構造体を支持する構造体２に設けて、引抜き防止の機能も合わせ持たせた復元付き免震装置・滑り支承である。
つまり、特許 1844024号での引抜き防止装置の上部スライド部材４-aと下部スライド部材４-bのうち、一方に凹型滑り面部を有し、もう一方に当該凹型滑り面部を滑走しうる滑り部もしくは逆向きの凹型滑り面部を有する構成である。
【００２２】
凹型滑り面部の箇所として
(1) 上部スライド部材のスライド孔を挟む上部材に下向き凹型滑り面部
(2) 上部スライド部材のスライド孔を挟む下部材に上向き凹型滑り面部
(3) 上部スライド部材のスライド孔を挟む下部材に下向き凹型滑り面部
(4) 下部スライド部材のスライド孔を挟む上部材に上向き凹型滑り面部
(5) 下部スライド部材のスライド孔を挟む上部材に下向き凹型滑り面部
(6) 下部スライド部材のスライド孔を挟む下部材に上向き凹型滑り面部
の６通りが考えられ、また平面型滑り面部の箇所も同様に、
(1) 上部スライド部材のスライド孔を挟む上部材に下向き平面型滑り面部
(2) 上部スライド部材のスライド孔を挟む下部材に上向き平面型滑り面部
(3) 上部スライド部材のスライド孔を挟む下部材に下向き平面型滑り面部
(4) 下部スライド部材のスライド孔を挟む上部材に上向き平面型滑り面部
(5) 下部スライド部材のスライド孔を挟む上部材に下向き平面型滑り面部
(6) 下部スライド部材のスライド孔を挟む下部材に上向き平面型滑り面部
の６通りが考えられ、以上の１２通りの組合せにより構成される。
なお凹面形状に関して、台形の直線で構成される場合と円弧、放物線、スプライン曲線等の曲線で構成される場合がある。また上部スライド部材・下部スライド部材共に凹型滑り面部を有する底部に関して、互いのスライド部材が嵌まり込むように少し掘り下げられて、風等では動きにくくしている場合もある。
なお、重なり合う上部スライド部材４-aと下部スライド部材４-bとは、隙間がある場合もあり、また、接している場合には含油メタル、ＰＴＦＥにより低摩擦化されている例もある。免震皿の凹型滑り面部及び当該部を滑走するローラー・ボール若しくは滑り部も同様である。
【００２３】
以下の実施例でも同様である。
図３は、下部スライド部材４-bのスライド孔を挟む下部材に上向き凹型滑り面部を有し、上部スライド部材４-aのスライド孔を挟む下部材に当該凹型滑り面部を滑走しうる滑り部を有する実施例である。
図４は、上部スライド部材４-aのスライド孔を挟む上部材に下向き凹型滑り面部を有し、下部スライド部材４-bのスライド孔を挟む上部材に当該凹型滑り面部を滑走しうる滑り部を有する実施例である。
図５は、下部スライド部材４-bのスライド孔を挟む下部材に上向き凹型滑り面部を有し、上部スライド部材４-aのスライド孔を挟む上部材に当該凹型滑り面部を滑走しうる滑り部を有し、かつ、上部スライド部材４-aのスライド孔を挟む上部材に下向き凹型滑り面部を有し、下部スライド部材４-bのスライド孔を挟む上部材に当該凹型滑り面部を滑走しうる滑り部を有する実施例である。
図６は、下部スライド部材４-bのスライド孔を挟む上部材に上向き凹型滑り面部を有し、上部スライド部材４-aのスライド孔を挟む上部材に当該凹型滑り面部を滑走しうる下向き凹型滑り面部を有し、かつ、下部スライド部材４-bのスライド孔を挟む下部材に上向き凹型滑り面部を有し、上部スライド部材４-aのスライド孔を挟む下部材に当該凹型滑り面部を滑走しうる滑り部を有する実施例である。また、その上下逆もあり得る。つまり、上部スライド部材４-aのスライド孔を挟む上部材に下向き凹型滑り面部を有し、下部スライド部材４-bのスライド孔を挟む上部材に当該凹型滑り面部を滑走しうる滑り部を有し、かつ、上部スライド部材４-aのスライド孔を挟む下部材に下向き凹型滑り面部を有し、下部スライド部材４-bのスライド孔を挟む下部材に当該凹型滑り面部を滑走しうる上向き凹型滑り面部を有する場合である。図８は、上部スライド部材４-aのスライド孔を挟む上部材に下向き凹型滑り面部を有し、下部スライド部材４-bのスライド孔を挟む上部材に当該凹型滑り面部を滑走しうる上向き凹型滑り面部を有し、かつ、上部スライド部材４-aのスライド孔を挟む下部材に下向き凹型滑り面部を有し、下部スライド部材４-bのスライド孔を挟む下部材に当該凹型滑り面部を滑走しうる上向き凹型滑り面部を有する実施例である。
【００２４】
図９は、請求項１項記載の発明に関するもので、
上部スライド部材４-aのスライド孔を挟む上部材の下部に下向き凹型滑り面部を有し、
下部スライド部材４-bのスライド孔を挟む上部材の上部に
当該下向き凹型滑り面部が滑走しうる上向き凹型滑り面部を、下部に下向き凸型滑り面部を有し、
かつ、上部スライド部材４-aのスライド孔を挟む下部材の上部に、当該下向き凸型滑り面部を滑走しうる上向き凸型滑り面部を、下部に下向き凹型滑り面部を有し、
下部スライド部材４-bのスライド孔を挟む下部材の上部に当該下向き凹型滑り面部が滑走しうる上向き凹型滑り面部を有する実施例である。
この図９においては、重力復元型にもかかわらず、上部スライド部材４-aと下部スライド部材４-bとの間に、上部スライド部材４-aの上下変位による隙間を必要としない方式が可能となり、重力復元型特有の地震振動時の垂直変位のための遊びによる、がたつきの問題と引抜き時の衝撃の問題をも解決できる。
【００２５】
さらに図１０は、上部スライド部材・下部スライド部材の摩擦係数を下げ、また相互の滑り面の接触面積を上げるために、中間滑り部６を設けた場合の実施例である。この場合、図１４(e) 〜(h)のように、地震振幅による上部スライド部材４-aと下部スライド部材４-bとが、ずれを起こしても、滑り部上部（上面）６-uとスライド部材（４-a、４-b）との接触面積、及び滑り部下部（下面）６-lとスライド部材（４-a、４-b）との接触面積が、ともに、常に同面積得られて、垂直荷重伝達能力において有利である。
もう一つのものは、図１０の中間滑り部６の、上部スライド部材４-a、下部スライド部材４-bと接する上部６-u、下部６-l位置に、ローラーまたはボール（ベアリング）５-e、５-fを設けた場合のものである。この構成は、滑り面部の凹型球面形状に対して、常にローラーまたはボールが接し、振動時においても同接触面積が得られて、垂直荷重伝達能力において有利である。また、このローラーまたボールベアリングは、循環式転がり案内によって循環する形を取るのが有利である。
【図面の簡単な説明】
【００２６】
図１〜図１１は、十字型免震装置・滑り支承、また十字重力復元型免震装置・滑り支承、また十字重力復元型引抜き防止装置・滑り支承の発明の実施例である。
【図１】(a) は免震装置・滑り支承の斜視図、(b)(c)はその断面図であり、互いに直交方向のものである。
【図２】(a) は免震装置・滑り支承の斜視図、(b)(c)はその断面図であり、互いに直交方向のものである。
【図３】(a) は免震装置・滑り支承の斜視図、(b)(c)はその断面図であり、互いに直交方向のものである。
【図４】(a) は免震装置・滑り支承の斜視図、(b)(c)はその断面図であり、互いに直交方向のものである。
【図５】(a) は免震装置・滑り支承の斜視図、(b)(c)はその断面図であり、互いに直交方向のものである。
【図６】(a) は免震装置・滑り支承の斜視図、(b)(c)はその断面図であり、互いに直交方向のものである。
【図７】(a) は免震装置・滑り支承の斜視図、(b)(c)はその断面図であり、互いに直交方向のものであり、重力復元型免震装置・滑り支承振動時の垂直変位の吸収装置の実施例も示している。
【図８】(a) は免震装置・滑り支承の斜視図、(b)(c)はその断面図であり、互いに直交方向のものである。
【図９】(a) は免震装置・滑り支承の斜視図、(b)(c)はその断面図であり、互いに直交方向のものである。
【図１０】(a) は免震装置・滑り支承の斜視図、(b)(c)はその断面図であり、互いに直交方向のものである。
【図１１】(a) は免震装置・滑り支承の斜視図、(b)(c)はその断面図であり、互いに直交方向のものである。図１２〜図１７は、十字型免震装置・滑り支承、十字重力復元型免震装置・滑り支承の中間滑り部付きの実施例である。
【図１２】(a) は免震装置・滑り支承の斜視図、(b)(c)はその断面図であり、互いに直交方向のものである。図１３〜図１４は、一綴りで、免震装置・滑り支承の一つの発明の実施例を表している。
【図１３】(a) は免震装置・滑り支承の斜視図、(b)(c)はその断面図であり、互いに直交方向のものであり、
【図１４】(d) は図１３の免震装置・滑り支承の詳細斜視図、(e)(f)(g)(h)は、図１３の免震装置・滑り支承の地震振幅時の断面図であり、(g)(h)は最大時、(e)(f)は途中の時で、(e)(g)は基礎方向から見たもの、(f)(h)は基礎方向に対面する方向から見たものである。
【図１５】(a) は免震装置・滑り支承の斜視図、(b)(c)はその断面図であり、互いに直交方向のものである。図１６〜図１７は、一綴りで、免震装置・滑り支承の一つの発明の実施例を表している。
【図１６】(a) は免震装置・滑り支承の斜視図、(b)(c)はその断面図であり、互いに直交方向のものであり、
【図１７】(d) は図１６の免震装置・滑り支承の詳細斜視図、(e)(f)(g)(h)は、図１６の免震装置・滑り支承の地震振幅時の断面図であり、(g)(h)は最大時、(e)(f)は途中の時で、(e)(g)は基礎方向から見たもの、(f)(h)は基礎方向に対面する方向から見たものである。
【符号の説明】
【００２７】
Ａ…支持される構造体また免震される構造体、
Ｂ…支持される構造体また免震される構造体Ａを支持する構造体、
Ｃ…復元装置（重力復元型免震装置・滑り支承、積層ゴム型またバネ型を含む）、
Ｄ…免震装置・滑り支承、Ｅ…外れ防止装置、
Ｆ…引抜き防止装置・滑り支承、
Ｇ…固定装置、
Ｇ-d…地震感度の高い固定装置、
Ｇ-s…地震感度の低い固定装置、
Ｇ-wd …風力感度の高い固定装置、
Ｇ-ws …風力感度の低い固定装置、
Ｇ-m…リレー中間固定装置、
Ｇ-m1…リレー中間固定装置（リレー一番目）、
Ｇ-m2…リレー中間固定装置（リレー二番目）、
Ｇ-mn…リレー中間固定装置（リレーｎ番目）、
Ｇ-e…リレー末端固定装置、
Ｈ…水平免震装置、
Ｉ…垂直免震装置、
Ｊ…地震センサー（振幅）装置、
Ｊ-a…地震センサー振幅装置、
Ｊ-b…地震センサー（地震センサーからの信号により固定装置の固定装置の作動部を作動させる電源付）、
Ｊ-k…地震発電装置型地震センサー、
Ｋ…地震発電装置、
Ｌ…回転・捩れ防止装置、
ｂ…上部(側)免震皿3-a及び下部(側)免震皿3-bが角度φ/2ずつ回転して、上下繋ぎスライド部材・部分３-s、及び上下ガイドスライド部材・部分のガイド部3-dと、接触する部分の角を角度φ/2で面取りした斜辺の長さ、
ｄ…上部(側)免震皿3-a及び下部(側)免震皿3-bと、上下ガイドスライド部分のガイド部3-dとの隙間の間隔、
ｈ…上下繋ぎスライド部材・部分３-s、及び上下ガイドスライド部材・部分３-gのガイド部３-dの、張り出している長さ、
ｌ…上下繋ぎスライド部材・部分３-s、及び上下ガイドスライド部材・部分のガイド部3-dの、移動方向の長さ、
ｔ…上下繋ぎスライド部材・部分３-s、及び上下ガイドスライド部材・部分のガイド部3-dの肉厚、
φ…回転・捩れ防止装置が許容する回転角、
１…免震される構造体およびその側の部材、
１-s…免震される構造体のスラブ、
１-a…免震される構造体の部材からなるピストン状部材２-pの挿入筒（連結部材）、
１-p…免震される構造体の部材からなるピストン状部材（連結部材）、
１-g…免震される構造体の固定装置の支持部材（連結部材）、
１-x…免震される構造体の固定装置の支持部材同士を繋ぐユニバーサル回転接点（連結部材）、
２…支持される構造体また免震される構造体を支持する構造体およびその側の部材また基礎部分、
２-a…免震される構造体を支持する構造体の部材からなるピストン状部材１-pの挿入筒（連結部材）、
２-p…免震される構造体を支持する構造体の部材からなるピストン状部材（連結部材）、
２-g…免震される構造体を支持する構造体の部材からなる支持部材（連結部材）、
２-x…免震される構造体の部材からなるの支持部材同士を繋ぐユニバーサル回転接点（連結部材）、
３…免震皿、
３-a…上部免震皿、または上側免震皿（二重以上の免震皿免震装置・滑り支承の中間滑り部を挟む上側免震皿）、
３-b…下部免震皿、または下側免震皿（二重以上の免震皿免震装置・滑り支承の中間滑り部を挟む下側免震皿）、
３-m…中間免震皿、
３-m1…中間免震皿（その１）、
３-m2…中間免震皿（その２）、
３-m3…中間免震皿（その３）、
３-m4…中間免震皿（その４）、
３-m5…中間免震皿（その５）、
３-m6…中間免震皿（その６）、
３-t…免震皿の摩擦係数の違う滑り部の区分け線（実際は線などない）、
３-s…上下繋ぎスライド部材・部分（免震皿同士をつなぐスライド部材・部分）、
３-g…上下ガイドスライド部材・部分、
３-c…免震皿の側面の周囲のシールまた防塵カバー、
３-d…上下繋ぎスライド部材・部分３-s、及び上下ガイドスライド部材・部分３-gのガイド部、
３-u…免震皿上の出っ張り、
３-v…免震皿上の窪み（免震皿上の出っ張り３-uの入込む）、
３-e…免震皿に敷かれるか、付着させた弾性材・塑性材、
４…スライド部材、
４-i…内側のスライド部材、
４-o…外側のスライド部材、
４-oi…二番目以降のスライド部材、
４-p…スライド止め金、
４-v…上のスライド孔、
４-a…上部スライド部材、
４-as …上部スライド部材の免震皿、
４-al …上部スライド部材の下部材、
４-al1…上部スライド部材の下部材、
４-al2 …上部スライド部材の下部材、
４-b…下部スライド部材、
４-bs …下部スライド部材の免震皿、
４-bu …下部スライド部材の上部材、
４-bu1 …下部スライド部材の上部材、
４-bu2 …下部スライド部材の上部材、
４-m…中間部スライド部材、
４-mm …中間部スライド部材の中間材、
４-av …上部スライド部材の上のスライド孔、
４-bv …下部スライド部材の上のスライド孔、
４-alv…上部スライド部材の下部材の上のスライド孔、
４-buv…下部スライド部材の上部材の上のスライド孔、
４-c…スライド部材の押さえ部材（プレート等の）、
４-s…スライド部材の押えバネ等（バネ・空気バネ・ゴム・積層ゴム等の弾性体または磁石（磁石同士の反発力吸引力等を使った）等の弾性体を「バネ等」と称する）、
４-fs …スライド部材の押え板バネ等、
４-t … スライド部材を支持する束材
５…ローラー・ボール（ベアリング）部若しくは滑り部（滑り部という）、
５-a…垂直免震装置また滑り部の筒、
５-b…垂直免震装置また滑り部の筒に挿入されるバネ等、
５-c…垂直免震装置また滑り部の筒に挿入されるバネ等の先に取付く滑り部先端、
５-d…垂直免震装置また滑り部の筒のバネ等の押さえ雄ネジ、
５-e…ボール（ベアリング）、
５-f…ローラー（ベアリング）、
５-er …ボールベアリング循環式転がり案内リターン穴・リターンボール列、
５-fr …ローラーベアリング循環式転がり案内リターン穴・リターンローラー列、
５-g…保持器（玉軸受・ころ軸受）、
５-u…滑り部上部（上面）、
５-l…滑り部下部（下面）、
６…中間滑り部またローラー・ボール（ベアリング）をもった中間滑り部（中間滑り部という）、
６-u…滑り部上部（上面）、
６-l…滑り部下部（下面）、
６-a…第一中間滑り部、
６-b…第二中間滑り部、
６-c…第三中間滑り部、
６-d…ローラー・ボール（ベアリング）をもった中間滑り部のすべり部分、
７…固定ピン（係合・摩擦材）、ピン（以下の枝番に関しては、遅延器・発電機の説明番号にも使用）、
７-a…ピストン状部材７-pの挿入筒・シリンダー（固定ピン取付け部）、
７-aa…ピストン状部材７-pの挿入筒・シリンダーへの前室、
７-ab…ピストン状部材７-pの挿入筒・シリンダーの付属室（地震センサー振幅装置等の）また通路、
７-abj…ピストン状部材７-pの挿入筒７-aから付属室７-abへの通路口、
７-ac…液体貯槽または外部、
７-acj…ピストン状部材７-pの挿入筒または付属室７-abからの液体貯槽７-acまたは外部への出口・出口経路、
７-ao…挿入筒７-a・付属室７-ab・液体貯槽７-ac等を満たす液体等またはその液体等の高さレベル、
７-b…固定ピンの取付け取外しのためのねじ切り、
７-c…固定ピンのロックのための欠き込み・溝・窪み、
７-d…雄ネジ、
７-e…管、
７-ec…他の固定装置への連結管、
７-er…戻り管・戻り経路・戻り口（液体貯槽７-acまたは外部からのピストン状部材７-pの挿入筒または付属室７-abへの戻り口）、
７-f…弁、
７-fs…逆止弁、
７-fso…逆止弁(弁管)の開口
７-fb…ボール型弁、
７-sf…スライド式ロック弁、
７-sfo…スライド式ロック弁の開口孔、
７-sff…スライド式ロック弁の開口孔でない部分、
７-sfp…スライド式ロック弁の抵抗板、
７-ef…電動弁、電磁弁、機械式弁、油空圧（液圧・空圧）式弁、バルブ
７-mf…手動弁（強風時手動固定用の）
７-g…水平架台
７-h…作用部（押出し部・引張り部等）、
７-i…弁７-fを常に閉じる状態にするバネ等、
７-j…孔、
７-jo…気体が筒中７-aから出る孔、
７-ji…気体が筒中７-aへ入る孔、
７-ja…空気抜き管、
７-jc…他の固定装置への連結口、
７-jcf…連結口７-jcの塞ぎ材（連結口を使用しない場合の）、
７-k…第１のロック部材７-lが差し込まれる欠き込み・溝・窪み、
７-l…第１のロック部材、
７-m…第２のロック部材７-nが差し込まれる欠き込み・溝・窪み、
７-n…第２のロック部材、
７-o…バネ等、
７-p…ピストン状部材（固定装置の作動部・ダンパーの作動部）、
７-pa…表面に溝７-prを持ち、回転心棒７-xにより自由に回転できる円筒状のピストン状部材、
７-pb…ピストン状部材７-paと回転心棒７-xにより連動し、ワイヤー、ロープ、ケーブル、ロッド等８の支持点７-zを持つ部材、
７-pc…挿入筒7-a開口部の防塵・防水カバー、
７-pd…防塵・防水カバー7-pcのシール部材、
７-pg…ピストン状部材７-paの表面に設けられたガイド（ピン７-phがその中にはまった状態で、ピストン状部材７-paが動く）
７-ph…ガイド７-pgにはまり込んで、ピストン状部材７-paの動きを規定するピン
７-pha…ピン７-phの挿入筒、
７-pi…ガイド７-pg上で、ピストン状部材７-paが筒７-aの外に最も出たときに、ピン７-phが位置する点
７-pj…ガイド７-pg上で、ピストン状部材７-paが筒７-aの中に最も入ったときに、ピン７-phが位置する点
７-pk…ガイド７-pgの直線部分
７-pl…ガイド７-pgの曲線部分
７-pm…固定ピン７から突出するアーム部材、
７-pp…風センサーのピストン状部材からの液体を送る管、
７-psa…（分離型固定ピンの）外部側固定ピン、
７-psb…外部側固定ピン7-psaの、内部側固定ピン7-pscと接する端部、
７-psc…（分離型固定ピンの）内部側固定ピン、
７-psd…内部側固定ピン7-pscの、外部側固定ピン7-psaと接する端部、
７-q…風センサー（風センサーからの信号により固定装置の固定ピンを作動させる電源付）、
７-qd…風力発電機型風センサー
７-ql…風センサー・地震センサーからの信号線（ワイヤー・ロープ・ケーブル・ロッド、電気コード、または、油等の液体または気体の流れる管）、
７-r…風圧を受ける板（風圧板）、
７-s…剪断ピン型固定ピン、
７-t…風圧板と連動する油圧ポンプ、
７-u…固定装置を作動させる油圧ポンプ、
７-v…固定ピン等の挿入部、
７-vm …固定ピンのすり鉢形状・球面形状等の凹形態の挿入部、
７-vmc …固定ピンのすり鉢形状・球面形状等の凹形態の挿入部で中心部だけ、曲率半径を小さくするか、勾配をきつくしたもの、
７-vn …固定ピン（あるいはその先端７-w）を受ける平板
７-w…固定ピン先端、
７-wm…摩擦抵抗の大きい摩擦材
７-x…回転軸・回転心棒、回転軸挿入部、
７-y…尾翼、
７-z…ワイヤー、ロープ、ケーブル、ロッド８の支持点、
８…ワイヤー、ロープ、ケーブル、ロッド等、
８-f…ワイヤー・ロープ・ケーブル等の可撓部材（連結部材）、
８-fj…ワイヤー・ロープ・ケーブル等の可撓部材またはバネ等の支持点（フレ
キシブルジョイント）、
８-d…ロッド等、
８-e…ロッド等８-dの端部、
８-j…ロッド等８-dのフレキシブルジョイント、
８-u…上弦材、
８-l…下弦材、
８-r…レリーズ、
８-rf …レリーズの固定材、
８-y …吊材２０-sに設けた、ワイヤー、ロープ、ケーブル、ロッド等８の、引張の調節ができ、回転によるねじれを許容する支持点、
８-z …ロッド等８-dの、垂直方向に拘束され、水平方向には自由に回転できる継手、
９…バネ等、
９-c…圧縮用のバネ等、
９-t…引張用のバネ等、
９-u…水平振動用バネ等、
１０…バネ等の止め部材（その直下の免震される構造体（逆の場合は免震される構造体を支持する構造体）等に取付けられている）、
１１…固定ピンのロック部材（固定ピンをロックする部材）、
１１-a…固定ピンのロック部材のロック部材（固定ピンのロック部材をロックする部材）
１１-o…固定ピン７とロック部材１１との間の遊び、
１１-s…固定ピンのロック部材１１のスライドを可能としてスライド方向以外を拘束する固定材、
１１-v…固定ピンのロック部材１１のロック孔、
１１-x…固定ピンのロック部材１１の回転心棒、
１２…固定ピンの吊材、
１２-f…固定ピンの吊材・バネ等の取付け部（取付け部１２-fのある方の免震される構造体か、支持される構造体また免震される構造体を支持する構造体かに取付けられる）、
１３…地震センサー振幅装置（振り子型）、
１４…地震センサー振幅装置（重力復元型）、
１５…地震センサー振幅装置（バネ復元型）、
１５-s…地震センサー振幅装置１５の感度調整ネジ、
１６…切断刃、
１７…地震センサー（振幅）装置の作用部（押出し部・引張り部等）、
１８…クッション材、また粘性材等の緩衝材、
１９…ワイヤー、ロープまたケーブル用滑車、
１９-a…ワイヤー、ロープ、ケーブル、ロッド等８の変位を引張（圧縮）方向のみに変換し、かつ抵抗にならないローラー等のガイド部材、
１９-i…滑車１９の回転軸及び取付け部、
２０…重り、地震センサー（振幅）装置の地震時に振動する重り（不動点状態は地面から見ると相対化して振動状態に見える。重りの振動数が地震の振動数に近付くと、つまり共振域に近付くと本当に振動する）、
２０-a…（重りにもなる）周囲材
２０-b…ボール型重り、
２０-bb…ボール型重りに組込まれた小球、
２０-bs…ボール型重り２０-bの上部押え（固定装置本体に取付けられている）、
２０-c…ピストン状部材７-pの挿入筒７-aまたは付属室７-abからの液体貯槽７-acまたは外部への出口・出口経路acjと重り２０、２０-bとの隙間のカバー材、
２０-cc…ピストン状部材７-pの挿入筒７-aまたは付属室７-abからの液体貯槽７-acまたは外部への出口・出口経路acjと重り２０、２０-bとの隙間のカバーとなる管、
２０-cp…重り２０、２０-bの作動によって出口・出口経路acjの弁となる弁管、
２０-cpt…弁管の重りと接する先端部、
２０-cpo…弁管の開口
２０-cpi…弁管の吸込み口
２０-cps…弁管の支え（固定装置本体に取付けられている）、
２０-cpss…弁管の支えと地震センサー振幅装置の重り２０、２０-bを滑動（すべり・転がり）させる球面・すり鉢または円柱谷面状・Ｖ字谷面状等の凹型滑り面部（すべり・転がり面部、以下同じ）免震皿兼用のもの（固定装置本体に取付けられている）、
２０-cpssu…免震皿２０-cpssと平行の曲面の重り２０、２０-bの上部押え（固定装置本体に取付けられている）、
２０-cpso…弁管の支えの開口
２０-cs…固定装置本体に取付けられて管２０-cpを受けて通常時の管２０-cpからの流れを遮断するた受け材（固定装置本体に取付けられている）、
２０-d…起き上り小法師型重り、
２０-da…起き上り小法師型重り２０-dの重り部
２０-db…起き上り小法師型重り２０-dの繋ぎ部
２０-dc…起き上り小法師型重り２０-dの弁部
２０-e…重りによる弁、
２０-f…重り２０、２０-aの吊材の取付け部（取付け部２０-fのある方の免震される構造体か、支持される構造体また免震される構造体を支持する構造体かに取付けられる）、
２０-h…重り２０、２０-a、２０-eの（吊材等２０-sの）振り子の支点、
２０-i…重り２０、２０-a、２０-eの（吊材等２０-sの）振り子の支点を受ける支持部、
２０-j…重り２０、２０-a、２０-eの（吊材等２０-sの）振り子の支持材、
２０-k…重り２０、２０-a、２０-eの（吊材等２０-sの）振り子の支持バネ等、
２０-s…重り２０、２０-aの吊材、
２１…固定装置自動復元装置、
２２…固定装置自動制御装置、
２２-a…固定装置自動制御装置（電磁石）、
２２-b…固定装置自動制御装置（モーター）、
２３…電線、
２３-c…電気等の接点、
２４…振幅調整のためのスライド装置、
２５…バネ等、
２５-a…復元用のバネ等、
２５-b…外れ防止用のバネ等、
２６…緩衝材・弾性材・塑性材、
２６-a…緩衝材、
２６-b…弾性材、
２６-c…緩衝材・弾性材をもった剛性部材、
２７…係合材繋ぎ部材、
２７-p…係合材繋ぎ部材の押さえワッシャーまたプレート、
２８…硬質板（積層ゴム）、
２９…ゴムまたバネ（空気バネ含む）本体、
３０…有機溶剤で溶けるプラスチックか水で溶けるプラスチック、
３１…（新重力復元型免震装置の、地震センサー（振幅）装置の、固定装置の、ダンパーの）ラッパ状・すり鉢状等の挿入口またはコロを持った挿入口、
３２…滑り部垂直変位吸収のスライド装置、
３３…地面、
３４…復元用のバネ等のラッパ状・すり鉢状等のまたはコロを持った挿入口、
３５…免震皿の、滑り部、中間滑り部、ボールまたローラー等の窪み、
３６…連動機構、
３６-a…ピン、
３６-b…梃子、
３６-bf…梃子による弁部、
３６-c…ラック、
３６-ca…移動方向毎に異なる角度で傾斜した歯を持つラック、
３６-cb…ラック３６-caを持ち、固定ピン７から突出するアーム部材７-pmに支点３６-ccで接続された可動部材、
３６-cc…アーム部材７-pmに可動部材３６-cbが接続する可動な支点、
３６-cd…ラック、重り等の滑り台、
３６-cg…ガイド（スライド部材３６-csを支持する）、
３６-cs…スライド部材（表面にラック３６-cを持つ）、
３６-cw…重量を自由に変更できる重り
３６-d…歯車（大）、
３６-da…回転方向毎に異なる角度で傾斜した歯を持つ歯車、
３６-e…歯車（小）、
３６-f…動滑車、
３６-g…定滑車、
３６-h…梃子の支点、
３６-hs…梃子の支点の支持部、
３６-i…滑車・歯車の回転軸及び取付け部、
３６-il…滑車・歯車の回転軸を自由にスライドできるように支持する軸受、
３６-j…梃子の作用点で、梃子に取付いたワイヤー、ロープ、ロッド等８の支持点、
３６-ja…梃子の作用点で、ロック部材１１の支持点
３６-k…歯車に取付いたワイヤー、ロープ、ロッド等８の支持点、
３６-l…梃子の力点で、重り２０、２０-bからの梃子への力の伝達点、
３６-m…梃子の力点の挿入部、
３６-n…ガンギ車
３６-o…アンクル
３６-p…アンクル３６-oのつめ(1)
３６-q…アンクル３６-oのつめ(2)
３６-r…アンクル３６-oの支点
３６-s…フレキシブル材
３６-t…フレキシブル継手
３６-ta…フレキシブルな保護カバー
３６-u…表面部材
３６-ue…表面部材３６-uの緩斜面
３６-us…表面部材３６-uの急斜面
３６-um…表面部材３６-uの面材
３６-vm…地震センサー振幅装置の重り２０、２０-bを滑動（すべり・転がり）させる球面・すり鉢または円柱谷面状・Ｖ字谷面状等の凹型滑り面部（すべり・転がり面部、以下同じ）免震皿、
３６-w…水車（風車）、
３６-wa…水車（風車）の羽根（可撓性のある）、
３６-wb…水車（風車）の羽根３６-waを（撓まないように）支持する部材、
３６-z…横長な形状の穴（増幅器等で引張力のみ伝え、圧縮力を伝えないための、あるいはその逆）、
３７…入力連動部、
３８…出力連動部、
３９…ボルト等でのピン状態固定、
４０…（引張力限定伝達装置の）Ｌ型の部材、
４１…土台等の基礎の上の横架材、
４２…構造用合板等、
４３…柱、
４４…発電機
４５…ロック部材制御装置（電磁石）
４６…ロック部材制御装置（モーター）
４７…ロック部材制御装置
【図１】
2009216238.tif 000003
【図２】
2009216238.tif 000004
【図３】
2009216238.tif 000005
【図４】
2009216238.tif 000006
【図５】
2009216238.tif 000007
【図６】
2009216238.tif 000008
【図７】
2009216238.tif 000009
【図８】
2009216238.tif 000010
【図９】
2009216238.tif 000011
【図１０】
2009216238.tif 000012
【図１１】
2009216238.tif 000013
【図１２】
2009216238.tif 000014
【図１３】
2009216238.tif 000015
【図１４】
2009216238.tif 000016
【図１５】
2009216238.tif 000017
【図１６】
2009216238.tif 000018
【図１７】
2009216238.tif 000019